(57)【特許請求の範囲】
【請求項１】
インペラの回転によって移送液を移送するポンプ部と、
上記インペラに接続されて上記インペラを回転させる回転軸を有するモーター部と、
上記モーター部内において、上記回転軸に設けられた回転子と、上記回転子を回転駆動する固定子とを隔てるキャンとを備え、
上記ポンプ部と上記モーター部が、上記ポンプ部が下側に、上記モーター部が上側になるよう配置されることにより、上記モーター部の上記キャン内を、上記移送液の液相を侵入させずに気相に保つよう構成し、
上記モーター部と上記ポンプ部の間に、上記移送液の液相内に上記インペラを存在させるよう保つとともに、上記キャン内を上記気化ガスの気相に保つための熱調整部が、上記回転軸との間に軸収容空間を一定のクリアランスで保つ円筒状に設けられ、
上記キャンを導電性の金属材料で形成することにより、上記モーター部を構成するモーターを稼動することで発生する渦電流で、上記キャン自体に熱をもたせるように構成した
ことを特徴とするキャンドモーターポンプ。
【請求項２】
上記回転軸を軸支する軸受けを、上記キャン内の上記気相に存在させるよう配置した
請求項１記載のキャンドモーターポンプ。
【請求項３】
上記キャンは、その内部空間が、上記気相を構成する上記移送液の気化ガスを外部に漏らさない圧力密閉空間となるよう構成されている
請求項１または２記載のキャンドモーターポンプ。
【発明の詳細な説明】
【技術分野】
【０００１】
本発明は、キャンドモーターポンプに関するものである。キャンドモーターポンプは、爆発性・引火性・毒性のある液体や、強酸・強アルカリの化学薬品などの移送に適している。特に本発明は、極低温で気化しやすい低温液化ガスの移送に適したものである。
【背景技術】
【０００２】
爆発性・引火性・毒性のある液体や、強酸・強アルカリの化学薬品などを移送するには、キャンドモーターポンプが用いられる。従来のキャンドモーターポンプとして、たとえば下記の特許文献１に開示されたものがある。
【０００３】
〔特許文献１〕
特許文献１には、つぎの記載がある。
［０００２］［従来の技術］従来、キャンドモーターポンプは、シャフトをすべり軸受で支えているが、特に反負荷側すべり軸受の水循環をよくし、軸受磨耗および機械損を少なくするため、すべり軸受と軸受金具との間に溝を設けて水循環回路を構成している。
［００１５］［発明の実施の形態］本発明の請求項１に記載の発明は、モーター部におけるシャフトをすべり軸受で支え、前記すべり軸受のうち、反負荷側すべり軸受を軸受金具に圧入して保持する構成であって、前記軸受金具の内周部に水循環用のネジ溝を形成し、前記ネジ溝のネジ山部を、反負荷側すべり軸受の圧入寸法に仕上げたキャンドモーターポンプであり、軸受金具の製作工数を大幅に低減することができ、シャフトのロック解除作業も容易にできるという作用を有する。
【０００４】
〔特許文献２〕
一方、液体酸素、液体窒素、液体アルゴン、液化天然ガスなど、沸点が−１５０℃以下の低温液化ガスを移送するための低温液化ガス用ポンプとして、下記の特許文献２に記載されたものが提案されている。
【０００５】
特許文献２には、つぎの記載がある。
［００３７］上記モータ１およびインペラ２ならびにシャフト３はそれぞれ、互いに連通して低温液化ガスが導入される密閉空間１４内に存在する。上記密閉空間１４は、この例では、それぞれ上記密閉空間１４の一部をなす、モータ用空間５、インペラ用空間９および回転伝達手段用空間としてのシャフト用空間１３を備えて構成されている。モータ用空間５とインペラ用空間９ならびにシャフト用空間１３は互いに連通している。すなわち、ボリュートハウジング７、熱調整ハウジング１２およびモータ１の耐圧壁４ａ，４ｂにより１つの圧力密閉空間を作っている。
［００３８］上記モータ１とインペラ２は、モータ１が上側にインペラ２が下側になるよう配置されている。
［００３９］そして、上記モータ１とインペラ２の間は、低温液化ガスの液相内にインペラ２を存在させるよう保つとともに、低温液化ガスの気相内にモータ１を存在させるよう保つための熱調整部１１に形成されている。
【先行技術文献】
【特許文献】
【０００６】
【特許文献１】特開平１１−３３６６８９号公報
【特許文献２】特開２０１２−９２８１３号公報
【発明の開示】
【発明が解決しようとする課題】
【０００７】
特許文献１の記載によれば、従来のキャンドモーターポンプは、モーター部の軸受けにすべり軸受けが用いられている。つまり、従来のキャンドモーターポンプは、キャンの内部に配置されたシャフトと軸受けが、移送する液体に浸かる構造になっている。このため、転がり軸受けでは潤滑不良を起こしやすいため、すべり軸受けを使用している。
【０００８】
このようなキャンドポンプでは、常温の液体を移送するのであれば、何らかの事情で液体にガスが混入したときに、液切れとなって潤滑不良が生じ、軸受けが破損することがある。また、低温液化ガスを移送する場合、軸受けの摩擦熱で低温液化ガスが気化し、液切れとなって潤滑不良が生じ、軸受けが破損することがある。
【０００９】
また、上記のようなキャンドポンプに転がり軸受けを適用したものもある。この場合、軸受けは自己潤滑材料を使った特殊品であり、移送する液体によって軸受けを潤滑する。このようなキャンドポンプでも、移送する液体にガスが混入したり、低温液化ガスが摩擦熱で気化したりすると、液切れとなって潤滑不良が生じる。また、キャンの内部に満たされた低温液化ガスが軸受けの摩擦やモーター部の発熱で熱せられ、甚大なロスが生じるおそれもある。
【００１０】
特許文献２の記載によれば、従来の低温液化ガス用ポンプは、モータのハウジング全体を耐圧構造とし、外部へガスが漏れないようにしたことにより、以下の課題が生じた。
特許文献１記載のキャンと比較すると、耐圧構造部の容積が大きいため、耐圧壁の板厚が厚くなり、コスト面で不利である。
モータに接続する電線が耐圧壁を貫通する構造となるため、この貫通部に特殊なシール構造を採用し、電線のコネクタ部には耐圧性のある端子ボックスを採用しなければならず、コスト面で不利である。
モータ部の固定子には樹脂製の部品が多いため、移送する低温液化ガスが樹脂製の部品と接触し、細かな樹脂のバリや樹脂から発生する不純ガスなどが低温液化ガス中に混入するおそれがある。
耐圧構造部の容積が大きく、電線の接続構造も複雑で、内部に樹脂製の部品も存在するため、内部のパージに時間を要し、パージガスの消費ロスが多くなって、コスト面で不利である。
【００１１】
本発明は、上記課題を解決するため、つぎの目的をもってなされた。
安価な汎用品の転がり軸受けを使用でき、コストメリットが大きいキャンドモーターポンプを提供する。
【課題を解決するための手段】
【００１２】
請求項１記載のキャンドモーターポンプは、上記目的を達成するため、つぎの構成を採用した。
インペラの回転によって移送液を移送するポンプ部と、
上記インペラに接続されて上記インペラを回転させる回転軸を有するモーター部と、
上記モーター部内において、上記回転軸に設けられた回転子と、上記回転子を回転駆動する固定子とを隔てるキャンとを備え、
上記ポンプ部と上記モーター部が、上記ポンプ部が下側に、上記モーター部が上側になるよう配置されることにより、上記モーター部の上記キャン内を、上記移送液の液相を侵入させずに気相に保つよう構成し、
上記モーター部と上記ポンプ部の間に、上記移送液の液相内に上記インペラを存在させるよう保つとともに、上記キャン内を上記気化ガスの気相に保つための熱調整部が、上記回転軸との間に軸収容空間を一定のクリアランスで保つ円筒状に設けられ、
上記キャンを導電性の金属材料で形成することにより、上記モーター部を構成するモーターを稼動することで発生する渦電流で、上記キャン自体に熱をもたせるように構成した。
【００１４】
請求項２記載のキャンドモーターポンプは、請求項１記載の構成に加え、つぎの構成を採用した。
上記回転軸を軸支する軸受けを、上記キャン内の上記気相に存在させるよう配置した。
【００１５】
請求項３記載のキャンドモーターポンプは、請求項１または２記載の構成に加え、つぎの構成を採用した。
上記キャンは、その内部空間が、上記気相を構成する上記移送液の気化ガスを外部に漏らさない圧力密閉空間となるよう構成されている。
本発明において「圧力密閉空間」とは、「気相の圧力が密閉された空間」である。つまり、気体を外部に漏らさない空間であれば、液体が流入するあるいは流出する開口が存在していることは問わない趣旨である。
【発明の効果】
【００１６】
請求項１記載のキャンドモーターポンプは、
上記モーター部の上記キャン内を、上記移送液の液相を侵入させずに気相に保つよう構成した。これにより、インペラは液相内に保たれモーターは気相内に保たれる。このため、従来のキャンドモーターポンプで使用されていたすべり軸受けに替えて、トラブルの少ない転がり軸受けを使用できる。また、モーターを液中に浸漬せずにすむため、モーター自体を比較的安価な材料で構成することができ、コスト的に有利である。また、モーターを気相に保つため、吸込側の液面高さは、モーター部の高さを考慮しないインペラの高さまででよくなるため、運転に必要な最低の液面高さが低くなる。
移送液として低温液化ガスを使用した場合でも、転がり軸受けを使用できることから、従来のキャンドモーターポンプのようにすべり軸受けが固まってしまうというトラブルが生じない。また、モーターが気相内に保たれてその予冷時間を大幅に短縮でき、起動初期における低温液化ガスの気化ロスを低減できる。また、すべり軸受けの摩擦やモーターによる発熱が低温液化ガスに直接作用しないため、運転中における低温液化ガスの気化ロスも大幅に減少する。
また、上記キャンを導電性の金属材料で形成することにより、上記モーター部を構成するモーターを稼動することで発生する渦電流で、上記キャン自体に熱をもたせるように構成したことにより、上記キャン内の内部空間の温度を保ち、上記ポンプ部を満たす液相がキャン内まで上がってこない。
【００１７】
請求項１記載のキャンドモーターポンプは、
上記モーター部と上記ポンプ部の間に、上記移送液の液相内に上記インペラを存在させるよう保つとともに、上記キャン内を上記気化ガスの気相に保つための熱調整部を、上記回転軸との間に軸収容空間を一定のクリアランスで保つ円筒状に設けた。
これにより、インペラを液相内に保ちモーターを気相内に保つことによる効果を、単純な構造で実現できる。
【００１８】
請求項２記載のキャンドモーターポンプは、
軸受けを気相に存在させたことにより、一般的な潤滑剤であるグリースを使用でき、移送液中に潤滑剤が混入して不純物となるおそれがない。また、軸受け自体を比較的安価な材料で構成することができ、コスト的に有利である。また、熱調整部で気相に保たれた部分に軸受けを配置するため、極低温の液体を移送しても軸受けが過度に冷却されず、軸受けの損傷や劣化を防止できる。また、モーターの回転部分が気相内で回転するため抵抗が少なく、エネルギー効率がよい。
【００１９】
請求項３記載のキャンドモーターポンプは、
上記キャンの内部空間を圧力密閉空間とし、上記気相を構成する上記移送液の気化ガスを外部に漏らさないことにより、インペラを液相内に保ちモーターを気相内に保つ。
これにより、本発明のキャンドモーターポンプはコスト面で有利となる。つまり、耐圧構造部であるキャンは、特許文献２記載の低温液化ガスポンプに比べて直径が小さいため、耐圧壁の板厚を薄くできる。モーターに接続する電線が耐圧壁を貫通しない構造であるため、特殊なシール構造や耐圧性のある端子ボックスを採用する必要がない。また、耐圧構造部の容積が小さく、電線の接続構造も単純で、キャンの内部には樹脂製の部品が少なく不純ガスによる汚染が少ないため、内部のパージが短時間ですみ、パージガスの消費ロスが少なくてすむ。
【図面の簡単な説明】
【００２０】
【図１】本発明の第１実施形態のキャンドモーターポンプの全体構成を示す図である。
【発明を実施するための形態】
【００２１】
つぎに、本発明を実施するための形態を説明する。
【００２２】
図１は、本発明のキャンドモーターポンプの第１実施形態を示す概略図である。本実施形態では、低温液化ガスを移送液とした例を説明する。
【００２３】
〔全体構成〕
このキャンドモーターポンプは、ポンプ部１と、モーター部２と、熱調整部３とを備えている。上記ポンプ部１とモーター部２は、モーター部２が上側に配置され、ポンプ部１が下側に配置されている。上記熱調整部３は、上記ポンプ部１とモーター部２の間に配置されている。
【００２４】
〔ポンプ部〕
上記ポンプ部１は、インペラ１０の回転によって移送液を移送する。
【００２５】
上記インペラ１０は、移送液を導入する導入流路１１に連通するボリュートハウジング１２内に配置されている。上記インペラ１０には、回転軸２０が接続されている。上記回転軸２０の回転にともないインペラ１０が回転する。上記インペラ１０がボリュートハウジング１２内で回転することにより、移送液に遠心力が付与され、上流と下流のあいだに圧力差を生じさせる。この圧力差により、移送液を導入流路１１から吸引し、ボリュートハウジング１２の外周部に設けられた吐出開口１５から吐出する。上記ボリュートハウジング１２内の空間が、インペラ１０が収容されるインペラ用空間１３である。図において符号１４は、低温液化ガスの流動を助けるインデューサ１４である。上記インペラ１０、ボリュートハウジング１２、インデューサ１４を含んで本実施形態のポンプ部１が形成されている。
【００２６】
〔モーター部〕
上記モーター部２は、上記インペラ１０に接続されて上記インペラ１０を回転させる回転軸２０を有する。
【００２７】
上記モーター部２を構成するモータとしては、例えば、直流モーター、三相誘導モーターなど一般的なモーターをベースとして製作することができる。その他にＰＭモーター（永久磁石モーター）を使用することによりエネルギー効率のよいポンプとすることができる。
【００２８】
上記モーター部２を構成するモーターは、上記回転軸２０に設けられた回転子２１と、上記回転子２１を回転駆動するための固定子２２とを備えている。これにより、上記モーター部２を構成するモーターを駆動することにより、上記回転軸２０を回転駆動することができる。
【００２９】
上記回転軸２０は、長手方向が上下を向くように配置されている。上部がモーター部２を構成するモーターの回転軸であり、下部がポンプ部１のインペラ１０に接続されている。この例では、上記回転軸２０は、モーター部２側のシャフトとポンプ部１側のシャフトが一体となった一本のシャフトを用いている。
【００３０】
上記回転軸２０は、上記モーター部２の上下部分において軸受け２３によって軸支されている。上記軸受けとしては転がり軸受け２３が使用される。
【００３１】
上記モーター部２には、上記モーター部２内において、上記回転軸２０に設けられた回転子２１と、上記回転子２１を回転駆動する固定子２２とを隔てるキャン４を備えている。上記キャン４は、上記回転軸２０と、上記回転軸２０を軸支する軸受け２３を収容する有天筒状のケース部４Ａと、上記ケース部４Ａの下部開口の外周に形成されたフランジ部４Ｂとを含んで構成される。上記回転軸２０は、軸受け２３によってケース部４Ａ内に上部が軸支され、ケース部４Ａの下部開口から下方に下部が突出し、熱調整部３およびポンプ部１に至っている。
【００３２】
上記キャン４は、その内部空間２４が、上記気相を構成する上記移送液の気化ガスを外部に漏らさない圧力密閉空間となるよう構成されている。上記キャン４を構成する材質としては、たとえばアルミニウムやステンレス鋼のような金属材料や、ＦＲＰのような樹脂材料などを用いることができる。これらの材料で形成したキャン４は、少なくとも有天筒状のケース部４Ａに、移送液の気化ガスが通り抜ける貫通部がなく、内部空間２４を圧力密閉空間とする。
【００３３】
上記キャン４のケース部４Ａの外側が外側ケース２５で囲われ、上記キャン４のケース部４Ａと外側ケース２５の間に固定子２２が収容されている。上記外側ケース２５の外周面には、固定子２２に対して通電するための端子ケース２８が設けられている。また、上記モーター部２の上部には、ファン２６によってモーター部２を冷却する冷却ユニット２７が配置されている。符号２８Ａと２６Ａは、それぞれ端子ケース２８およびファン２６に対して電気を供給するための電線２８Ａ，２６Ａである。
【００３４】
上記端子ケース２８およびファン２６などの電気系統部は、上記キャン４の外側、つまり大気環境中に配置される。したがって、上記電気系統部が、移送液の液相やその気化ガスに接触することはない。このため、電気系統部を構成する部材として液体や気化ガスとの接触やシール性を考慮した特別仕様のものを採用する必要性がなく、一般的な汎用品を使うことができる。
【００３５】
上記モーター部２全体に比べてキャン４の直径が小さくなるので、耐圧性を確保するための板厚を薄くできる。つまり、高さ寸法が同じであれば、内容積に反比例して板厚を薄くできる。したがって、外側ケース２５より直径の小さいキャン４は、板厚を薄くできるのである。また、樹脂部品の多い固定子２２が液体や気化ガスと接触しないため、移送液を汚染するリスクが低くなる。さらに、複雑な電気系統部がキャン４の外側になり、モーター部２全体に比べてキャン４の容積も小さいことから、キャン４の内部空間２４をパージしやすく、パージガスのロスが少なくなる。
【００３６】
〔熱調整部〕
上記熱調整部３は、上記モーター部２と上記ポンプ部１の間に配置されている。上記熱調整部３は、軸ハウジング３０と、上記軸ハウジング３０に収容される回転軸２０の一部と、上記軸ハウジング３０内で回転軸２０が収容される軸収容空間３１とを含んで構成される。上記回転軸２０のうち軸ハウジング３０に収容される一部は、回転軸２０のうち長手方向の半ば付近である。つまり、モーター部２の下部から突出し、ポンプ部１の上部から突出した部分である。
【００３７】
上記回転軸２０は、モーター部２のキャン４における内部空間２４と、熱調整部３の軸収容空間３１と、ポンプ部１のインペラ用空間１３とを貫いて存在している。そして、キャン４と、軸ハウジング３０とボリュートハウジング１２は、気密および液密を保つように図示しないシール部材等を介して接合されている。具体的には、それぞれの接合部に、ガスケット、Ｏ−リングなどを介してフランジをボルトで締め込んだり、ねじ構造としてシールテープを介して締め込んだりして気密および液密を保つことができる。
【００３８】
つまり、モーター部２のキャン４における内部空間２４と、熱調整部３の軸収容空間３１と、ポンプ部１のインペラ用空間１３は互いに連通している。また、キャン４の内部空間２４と軸収容空間３１とインペラ用空間１３は、導入流路１１との連通部および吐出開口１５を除いて気密および液密を保っており、圧力密閉空間を形成している。
【００３９】
〔配置〕
上記ポンプ部１と上記モーター部２が、上記ポンプ部１が下側に、上記モーター部２が上側になるよう配置されるている。これにより、上記モーター部２の上記キャン４内を、上記移送液の液相を侵入させずに気相に保つよう構成した。
【００４０】
また、上記熱調整部３は、上記移送液の液相内に上記インペラ１０を存在させるよう保つとともに、上記キャン４内を上記気化ガスの気相に保つ。つまり、上記モーター部２とポンプ部１の間に挟まれた隙間の部分に熱調整部３を設け、下側からポンプ部１、熱調整部３、モーター部２の順に配置している。このようにすることにより、冷気は下がり暖気は上がる性質により、下側のポンプ部１を低温部とし、中間の熱調整部３を低温〜常温とし、上部のモーター部２を常温とするように、温度範囲を分けるのに有利となる。ここでいう常温とは一般的なモーターの使用環境温度であり、−２０〜４０℃程度である。
【００４１】
そして、上記ポンプ部１は、導入流路１１から吸引されて吐出口１５から排出される移送液で満たされる。上記熱調整部３は、下端部では移送液が液相であり、上端部が移送駅が気化した気化ガスの気相となるよう、温度勾配が形成される。そして、上記モーター部２の上記キャン４内は、上記移送液の液相が侵入せず、気化ガスの気相に保たれる。モーター部２を低温液化ガスに直接接触させず、一般的で安価な鉄材などを使用できる。
【００４２】
上記回転軸２０を軸支する軸受け２３は、上記キャン４内の上記気相に存在させるよう配置される。つまり、上記回転軸２０は上記気相に存在させた軸受け２３で軸支され、上記軸受け２３はモーター用とポンプ用を共用することになる。軸受け２３は低温液化ガスと直接接触せず、ポンプ冷却の影響がおよばないため、一般的なグリースを潤滑剤として使用する鉄製の安価なものを使用できる。
【００４３】
このとき、上記キャン４内の内部空間２４が圧力密閉空間に形成されていることから、気化ガスは外部に漏れない。したがって、上記ポンプ部１内を通過する液相は、熱調整部３を超えてキャン４内まで上がってこない。つまり、移送液は、図面最下部のインデューサ１４部分よりポンプの内部に引き込まれ、インペラ１０によって動力が与えられ、吐出開口１５から排出される。ポンプの内部に入った移送液は、吐出開口１５しか出口がなく、圧力密閉空間で行き止まりとなるキャン４の内部空間２４には入って行かない。
【００４４】
このように、冷気は下がり暖気は上がる性質と、圧力密閉空間の作用により、ポンプ部１が低温部、中間の熱調整部３が低温〜常温、上部のモーター部２が常温と分けることができるのである。
【００４５】
また、モーター部２を構成するモーターが発熱することによって、上記キャン４内の内部空間２４の温度が常温に保たれる。さらに、上記キャン４を導電性の金属材料で形成した場合、モーター部２を構成するモーターを稼動することにより発生する渦電流でキャン４自体が熱をもち、上記キャン４内の内部空間２４の温度が常温に保たれる。これらの作用が熱調整効果に寄与し、上記ポンプ部１を満たす液相は、熱調整部３を超えてキャン４内まで上がってこない。
【００４６】
このようにすることにより、インペラ１０を収容するインペラ用空間１３内は、導入流路１１から導入されて吐出開口１５に向かって流れる移送液で満たされる。例えば−１５０℃以下に保たれ、液相の状態が維持される。一方、キャン４の内部空間２４内は、常温に近い温度、例えば−２０℃以上に保たれる。これにより、内部空間２４内は、移送液の気化ガスで満たされ、気相の状態が維持される。軸収容空間３１内は、内部空間２４とインペラ用空間１３の中間温度で、温度勾配が形成される。
【００４７】
液相で満たされる部分は、導入流路１１からポンプ部１までである。具体的には、ボリュートハウジング１２、熱調整部３の底部、インペラ１０、回転軸２０の一部、インデューサ１４などの最低必要部品のみとなる。
【００４８】
〔圧力密閉空間の壁の板厚〕
本実施形態では上述したように、上記モーター部２全体に比べてキャン４の直径が小さくなるので、耐圧性を確保するための板厚を薄くできる。
ここで、特許文献２に記載された従来品の耐圧壁（符号４ａ）の板厚に比べ、本実施形態のキャン４の板厚をどの程度薄くできるか検討した。
【００４９】
従来品では、耐圧壁（４ａ）の内径を２２９ｍｍ、高さを３４４ｍｍ、内容積が１４．２Ｌで、材質としてアルミニウムを用いた場合、必要な板厚は２．９ｍｍである。
本実施形態では、高さ３４４ｍｍとした同程度の大きさのモーター部２とした場合に、キャン４の内径が１１９ｍｍになり、内容積が３．９Ｌとなる。材質としてアルミニウムを用いた場合、必要な板厚は１．５ｍｍになる。材質としてステンレス鋼を用いた場合、必要な板厚は０．５ｍｍとなる。
【００５０】
〔実施形態の効果〕
本実施形態のキャンドモーターポンプは、
上記モーター部２の上記キャン４内を、上記移送液の液相を侵入させずに気相に保つよう構成した。これにより、インペラ１０は液相内に保たれモーターは気相内に保たれる。このため、従来のキャンドモーターポンプで使用されていたすべり軸受けに替えて、トラブルの少ない転がり軸受け２３を使用できる。また、モーターを液中に浸漬せずにすむため、モーター自体を比較的安価な材料で構成することができ、コスト的に有利である。また、モーターを気相に保つため、吸込側の液面高さは、モーター部２の高さを考慮しないインペラ１０の高さまででよくなるため、運転に必要な最低の液面高さが低くなる。
移送液として低温液化ガスを使用した場合でも、転がり軸受け２３を使用できることから、従来のキャンドモーターポンプのようにすべり軸受けが固まってしまうというトラブルが生じない。また、モーターが気相内に保たれてその予冷時間を大幅に短縮でき、起動初期における低温液化ガスの気化ロスを低減できる。また、すべり軸受けの摩擦やモーターによる発熱が低温液化ガスに直接作用しないため、運転中における低温液化ガスの気化ロスも大幅に減少する。
【００５１】
本実施形態のキャンドモーターポンプは、
上記熱調整部３を設けた。これにより、インペラ１０を液相内に保ちモーターを気相内に保つことによる効果を、単純な構造で実現できる。
【００５２】
本実施形態のキャンドモーターポンプは、
軸受け２３を気相に存在させたことにより、一般的な潤滑剤であるグリースを使用でき、移送液中に潤滑剤が混入して不純物となるおそれがない。また、軸受け２３自体を比較的安価な材料で構成することができ、コスト的に有利である。また、熱調整部３で気相に保たれた部分に軸受け２３を配置するため、極低温の液体を移送しても軸受け２３が過度に冷却されず、軸受け２３の損傷や劣化を防止できる。また、モーターの回転部分が気相内で回転するため抵抗が少なく、エネルギー効率がよい。
【００５３】
本実施形態のキャンドモーターポンプは、
上記キャン４の内部空間を圧力密閉空間とし、上記気相を構成する上記移送液の気化ガスを外部に漏らさないことにより、インペラ１０を液相内に保ちモーターを気相内に保つ。
これにより、本実施形態のキャンドモーターポンプはコスト面で有利となる。つまり、耐圧構造部であるキャン４は、特許文献２記載の低温液化ガスポンプに比べて直径が小さいため、耐圧壁の板厚を薄くできる。モーターに接続する電線が耐圧壁を貫通しない構造であるため、特殊なシール構造や耐圧性のある端子ボックスを採用する必要がない。また、耐圧構造部の容積が小さく、電線の接続構造も単純で、キャン４の内部には樹脂製の部品が少なく不純ガスによる汚染が少ないため、内部のパージが短時間ですみ、パージガスの消費ロスが少なくてすむ。
【００５４】
〔変形例〕
上記実施形態では、上記キャン４内の内部空間２４を圧力密閉空間に形成したが、上記内部空間２４は、気化ガスの出入りを許容する構造でも良い趣旨である。この場合、上記ポンプ部１が下側に、モーター部２が上側になるよう配置し、上記モーター部２とポンプ部１の間に熱調整部３を設け、低温液化ガスの液面を上記モーター部２とポンプ部１の間に保つ。これにより、上記モーター部２の上記キャン４内を、低温液化ガスの液相を侵入させずに気相に保つようになっている。
【００５５】
上記実施形態では、低温液化ガスを移送液とした例を説明したが、本発明が対象とする移送液は、これに限定するものではなく、爆発性・引火性・毒性のある液体や、強酸・強アルカリの化学薬品など、各種の液体を適用することができる。これらの場合も同様の作用効果を奏する。
【００５６】
上記実施形態では、ファン２６を回転させる冷却ユニット２７によりモーター部２を冷却するようにしたが、モーター部２の冷却は、モーター連動冷却ファンを用いたり、マグネットカップリングを用いたファンを使用したり、水冷による冷却を適用したりすることもできる。これらの場合も同様の作用効果を奏する。
【００５７】
また、上記実施形態では、熱調整部３またはモーター部２をヒータなどで加温することにより、熱調整部３の縦寸法を小さくすることもできる。また、熱伝導率の低い材料を全部または部分的に使用することにより、熱調整部３の縦寸法を小さくすることもできる。これらの場合も同様の作用効果を奏する。
【００５８】
上記実施形態では、回転軸２０として１本のシャフトを用いる例を説明したが、これに限定するものではない。モーター部２側のシャフトとポンプ部１側のシャフトを別体とし、それらの間を回転動力を伝達させる構造部で連結するようにしてもよい。さらに、モーター部２の回転をインペラ１０に伝達しうるものであれば、他の手段を用いることもできる。例えば、モーター用シャフトと、インペラ用シャフトとの間をギヤ、チェーン、ベルト等を用いて連結して回転を伝達するようにしてもよい。これらの場合も同様の作用効果を奏する。
【００５９】
また、以上は本発明の特に好ましい実施形態について説明したが、本発明は図示した実施形態に限定する趣旨ではなく、各種の態様に変形して実施することができ、本発明は各種の変形例を包含する趣旨である。
【符号の説明】
【００６０】
１：ポンプ部
２：モーター部
３：熱調整部
４：キャン
４Ａ：ケース部
４Ｂ：フランジ部
１０：インペラ
１１：導入流路
１２：ボリュートハウジング
１３：インペラ用空間
１４：インデューサ
１５：吐出開口
２０：回転軸
２１：回転子
２２：固定子
２３：軸受け
２４：内部空間
２５：外側ケース
２６：ファン
２６Ａ：電線
２７：冷却ユニット
２８：端子ケース
２８Ａ：電線
３０：軸ハウジング
３１：軸収容空間
【図１】
0006530914.tif 000002